(57)【要約】【課題】本発明は、記録媒体に記録された動画アルバム、動画アルバム作成装置、動画アルバム作成方法、動画アルバム作成プログラム等において、卒業記念アルバム等の映像記念アルバムの記録媒体等を低廉な価格で実現することを課題とするものである。【解決手段】本発明は、タイトル画面を作成するタイトル画面入力手段と、画面に表示されたセレクトメニューとして選択画面Ａ，選択画面Ｂ，及び選択画面Ｃからなる表示をした選択画面を作成する選択画面入力手段と、該選択画面Ａ、選択画面Ｂ、及び選択画面Ｃのいずれかを選択するセレクトメニュー選択手段と、該選択画面Ａ、選択画面Ｂ、及び選択画面Ｃを作成するそれぞれの入力手段として選択画面Ａ入力手段、選択画面Ｂ入力手段、及び選択画面Ｃ入力手段と、前記各画面には音声を入力する音声入力手段と、から構成された動画アルバム作成装置等である。【選択図】図１
2004356841.tif 000002
【特許請求の範囲】
【請求項１】
タイトル画面入力手段によって作成されたタイトル画面と、選択画面入力手段によって作成され、かつ画面に表示されたセレクトメニューとして選択画面Ａ，選択画面Ｂ，及び選択画面Ｃからなる表示をした選択画面と、選択画面Ａ入力手段、選択画面Ｂ入力手段、及び選択画面Ｃ入力手段のそれぞれの入力手段によって作成された選択画面Ａ、選択画面Ｂ、及び選択画面Ｃと、
前記各画面には音声入力手段により入力された音声と、
から構成された記録媒体に記録された動画アルバムであって、
該選択画面Ａでは、動画又は静止画入力手段によって作成された複数個の動画又は静止画Ａ，動画又は静止画Ｂ，動画又は静止画Ｃ，・・・動画又は静止画Ｎと、から構成され、
該選択画面Ｂでは、スライド入力手段によって作成された複数個のスライドＡ，スライドＢ、スライドＣ、・・・スライドＮと、から構成され、
該選択画面Ｃでは、ＨＴＭＬ入力手段によって作成され、かつ画面に表示されたグループセレクトメニューとして複数個のリスト画面Ａ、リスト画面Ｂ、リスト画面Ｃ、・・・リスト画面Ｎからなる表示をしたＨＴＭＬ画面と、リスト画面入力手段によって作成され、かつ前記各リスト画面に表示されたセレクトメニューとして複数個の動画Ａ、動画Ｂ、動画Ｃ、・・・動画Ｎからなる各リスト画面と、から構成された、
ことを特徴とする記録媒体に記録された動画アルバム。
【請求項２】
タイトル画面を作成するタイトル画面入力手段と、
画面に表示されたセレクトメニューとして選択画面Ａ，選択画面Ｂ，及び選択画面Ｃからなる表示をした選択画面を作成する選択画面入力手段と、
該選択画面Ａ、選択画面Ｂ、及び選択画面Ｃのいずれかを選択するセレクトメニュー選択手段と、
該選択画面Ａ、選択画面Ｂ、及び選択画面Ｃを作成するそれぞれの入力手段として選択画面Ａ入力手段、選択画面Ｂ入力手段、及び選択画面Ｃ入力手段と、
前記各画面には音声を入力する音声入力手段と、
から構成された動画アルバム作成装置であって、
該選択画面Ａでは、複数個の動画又は静止画Ａ，動画又は静止画Ｂ，動画又は静止画Ｃ，・・・動画又は静止画Ｎを作成する動画又は静止画入力手段と、から構成され、
該選択画面Ｂでは、複数個のスライドＡ，スライドＢ、スライドＣ、・・・スライドＮを作成するスライド入力手段と、から構成され、
該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、から構成された、
ことを特徴とする動画アルバム作成装置。
【請求項３】
コンピュータを用いて、
タイトル画面入力手段がタイトル画面を作成するタイトル画面入力ステップと、選択画面入力手段が画面に表示されたセレクトメニューとして選択画面Ａ，選択画面Ｂ，及び選択画面Ｃからなる表示をした選択画面を作成する選択画面入力ステップと、
選択画面Ａ入力手段、選択画面Ｂ入力手段、及び選択画面Ｃ入力手段が選択画面Ａ、選択画面Ｂ、及び選択画面Ｃを作成するそれぞれの選択画面Ａ入力ステップ、選択画面Ｂ入力ステップ、及び選択画面Ｃ入力ステップと、
動画又は静止画入力手段が該選択画面Ａで、複数個の動画又は静止画Ａ，動画又は静止画Ｂ，動画又は静止画Ｃ，・・・動画又は静止画Ｎを作成する動画又は静止画入力ステップと、
スライド入力手段が該選択画面Ｂで、複数個のスライドＡ，スライドＢ、スライドＣ、・・・スライドＮを作成するスライド入力ステップと、
ＨＴＭＬ入力手段が該選択画面Ｃで、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力ステップと、
リスト画面入力手段が前記各リスト画面に表示されたセレクトメニューとして複数個の動画Ａ、動画Ｂ、動画Ｃ、・・・動画Ｎからなる各リスト画面を作成するリスト画面入力ステップと、
音声入力手段が前記各画面には音声を入力する音声入力ステップと、
を実行する動画アルバム作成方法。
【請求項４】
コンピュータを、
タイトル画面を作成するタイトル画面入力手段と、
画面に表示されたセレクトメニューとして選択画面Ａ，選択画面Ｂ，及び選択画面Ｃからなる表示をした選択画面を作成する選択画面入力手段と、
該選択画面Ａ、選択画面Ｂ、及び選択画面Ｃのいずれかを選択するセレクトメニュー選択手段と、
該選択画面Ａ、選択画面Ｂ、及び選択画面Ｃを作成するそれぞれの入力手段として選択画面Ａ入力手段、選択画面Ｂ入力手段、及び選択画面Ｃ入力手段と、
前記各画面には音声を入力する音声入力手段と、
該選択画面Ａでは、複数個の動画又は静止画Ａ，動画又は静止画Ｂ，動画又は静止画Ｃ，・・・動画又は静止画Ｎを作成する動画又は静止画入力手段と、
該選択画面Ｂでは、複数個のスライドＡ，スライドＢ、スライドＣ、・・・スライドＮを作成するスライド入力手段と、
該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、
から構成された、
前記各処理手段を実行する動画アルバム作成装置として機能させるための動画アルバム作成プログラム。
【請求項５】
コンピュータを、
タイトル画面を作成するタイトル画面入力手段と、
画面に表示されたセレクトメニューとして選択画面Ａ，選択画面Ｂ，及び選択画面Ｃからなる表示をした選択画面を作成する選択画面入力手段と、
該選択画面Ａ、選択画面Ｂ、及び選択画面Ｃのいずれかを選択するセレクトメニュー選択手段と、
該選択画面Ａ、選択画面Ｂ、及び選択画面Ｃを作成するそれぞれの入力手段として選択画面Ａ入力手段、選択画面Ｂ入力手段、及び選択画面Ｃ入力手段と、
該選択画面Ａでは、複数個の動画又は静止画Ａ，動画又は静止画Ｂ，動画又は静止画Ｃ，・・・動画又は静止画Ｎを作成する動画又は静止画入力手段と、
該選択画面Ｂでは、複数個のスライドＡ，スライドＢ、スライドＣ、・・・スライドＮを作成するスライド入力手段と、
該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、
前記各画面には音声を入力する音声入力手段と、から構成された、
前記各処理手段を実行する動画アルバム作成装置として機能させるための動画アルバム作成プログラムを記録した記録媒体。
【請求項６】
タイトル画面入力手段によって作成されたタイトル画面と、選択画面入力手段によって作成され、かつ画面に表示されたメニューとして４個以上の複数個の選択画面Ａ，選択画面Ｂ，選択画面Ｃ、選択画面Ｄ，・・・選択画面Ｎからなる表示をした選択画面と、
４個以上の複数個の選択画面Ａ入力手段、選択画面Ｂ入力手段、選択画面Ｃ入力手段、選択画面Ｄ入力手段，・・・選択画面Ｎ入力手段のそれぞれの入力手段によって作成された選択画面Ａ、選択画面Ｂ、及選択画面Ｃ、選択画面Ｄ，・・・選択画面Ｎと、
前記各画面には音声入力手段により入力された音声と、
から構成された記録媒体に記録された動画アルバムであって、
該選択画面Ａでは、動画又は静止画入力手段によって作成された複数個の動画又は静止画Ａ，動画又は静止画Ｂ，動画又は静止画Ｃ，・・・動画又は静止画Ｎと、から構成され、
該選択画面Ｂでは、スライド入力手段によって作成された複数個のスライドＡ，スライドＢ、スライドＣ、・・・スライドＮと、から構成され、
該選択画面Ｃでは、ＨＴＭＬ入力手段によって作成され、かつ画面に表示されたグループセレクトメニューとして複数個のリスト画面Ａ、リスト画面Ｂ、リスト画面Ｃ、・・・リスト画面Ｎからなる表示をしたＨＴＭＬ画面と、リスト画面入力手段によって作成され、かつ前記各リスト画面に表示されたセレクトメニューとして複数個の動画Ａ、動画Ｂ、動画Ｃ、・・・動画Ｎからなる各リスト画面と、から構成され、
該選択画面Ｄ，・・・選択画面Ｎでは、前記選択画面Ａ，選択画面Ｂ，及び選択画面Ｃのいずれかの画面構成となる画面と、から構成された、
ことを特徴とする記録媒体に記録された動画アルバム。
【発明の詳細な説明】
【０００１】
【発明の属する技術分野】
本発明は、記録媒体に記録された動画アルバム、並びに、動画アルバムを容易に作成することができるようにする動画アルバム作成装置、動画アルバム作成方法、動画アルバム作成プログラム、及び動画アルバム作成プログラムを記録した記録媒体に関する。特に、学校（保育園、幼稚園、小学校、中学校、高校、大学、専門学校等を指すものとする）、各種団体等の卒業アルバム、記念アルバム等を簡易に作成することができる記録媒体に記録された動画アルバム、並びに、動画アルバム作成装置、動画アルバム作成方法、動画アルバム作成プログラム、及び動画アルバム作成プログラムを記録した記録媒体に関する。
【０００２】
【従来の技術】
従来、卒業アルバム、記念アルバムとして、動画を編集した動画アルバムが提案されている。このような動画を利用した動画アルバムは、紙媒体を利用した静止画のアルバムに比較して、撮像対象物の動き、動作や表情の変化を見ることができるので、臨場感に溢れた印象が得られる利点がある。
【０００３】
ところで、上記動画アルバムは、動画編集についてそれほどの知識のない者であっても、ビデオカメラ等で撮像した一連の画像から容易に作成できることが望まれる。専門家に依頼しないためにたとえ少数の部数であっても経済的に動画アルバムを作成できるし、個々の者の好みに応じた内容の動画アルバムを作成することができるからである。
【０００４】
また、特許文献１に記載の発明には、ビデオテープやビデオディスクなどの動画記録媒体に収録された動画情報をコンピュータに入力した後、このコンピュータを操作することにより、前記動画情報の単位をなす任意な複数の静止画像情報を取り出して加工し且つ各ページ単位に適宜に配列したものとした静止画配列情報を作成し、この静止画配列情報を各ページ単位毎に一定大きさの一枚の印画紙に印刷させ、この印刷された各印画紙を写真として使用するように実施する、ことが記載されている。そして、このようにすれば、ビデオテープやビデオディスクなどの動画記録媒体の動画情報から複数の静止画の配列された写真が印刷により作成されるのである、ことが記載されている。
【０００５】
また、特許文献２に記載の発明には、複数の液晶表示手段と、高能率符号化された動画像を復号して当該液晶表示手段に供給する復号手段と、当該複数の液晶表示手段及び復号手段を搭載する筺体（当該筐体は２個を連結している）とを備え、当該復号手段は、高能率符号化された動画像を記憶する記憶手段（当該記憶手段は複数あり）が当該筐体に装着された場合、当該記憶手段に記憶されている動画データを順次読み出して復号し、当該複数の液晶表示手段に動画像を表示するようにする。そして、当該記憶手段に記憶されている動画データを順次読み出して当該復号手段で復号し、当該複数の液晶表示手段に動画像を表示するようにすることにより、動画像を複数の液晶表示画面上で楽しむことができ、他のシーンとの関連性を味わうことがきる。これによりユーザは、銀塩写真アルバムを見ているような心理的安心感で動画像を気軽に楽しむことができる、ことが記載されている。
【０００６】
また、特許文献３に記載の発明には、所望の被写体を撮影しながら写真と同様な静止画像及び動画像を表示部に同時に表示して瞬時にアルバムにファイリングできる電子アルバム高速作成システムを得る、ことが記載されている。そして、被写体を撮像し、撮影に伴って被写体の撮像光を映像信号に変換して送出する撮像器と、起動に伴って表示部に、１頁分が所定数コマからなるアルバム画面と、複数コマからなるポジフィルム画面と、動画の画面とを同時に開いて、被写体の静止画像と、その静止画像に続く動画像とをポジフィルム画面に対応するファイルに一緒に取り込み、操作器が指示するアルバム画面のコマに、静止画像を瞬時に移動表示するコンピュータ本体部とを備えた、ことが記載されている。
【０００７】
【特許文献１】
特開平１１−１２２５６７号公報（第２頁、右欄２〜１３行目）
【特許文献２】
特開平０５−１８１１０９号公報（第２頁、右欄１４〜３６行目）
【特許文献３】
特開平０９−２９４２２６号公報（第２頁、右欄４７〜５０行目、及び第３頁、左欄２〜１０行目）
【０００８】
【発明が解決しようとする課題】
しかし、特許文献１に記載の発明によれば、手間少なく安価に動画情報から写真アルバムを作成できるものであり、特に結婚式行事などではビデオテープ、ビデオディスクなどの動画記録媒体による記録作成は必ず行われるものであるから、そのビデオテープ、ビデオディスクなどの動画記録媒体が兼用されることもあって、写真アルバム作成の低コスト化は顕著になっているところであり、また、コンピュータ上の静止画配列情報により、同じ写真を何枚でも印刷により作成でき、同一のアルバムを手間少なく作成できると記載されているが、卒業記念アルバム等の映像記念アルバムの記録媒体についての具体的な技術が開示されていない。（特許文献１、第３頁、右欄３〜１３行目参照）。
【０００９】
また、特許文献２に記載の発明によれば、電子アルバムの構成は特許文献の図２に示すように、左右対象の一対のアルバムボード３１及び３２より構成され、当該アルバムボード３１及び３２は、開閉自在に一端で係止されており、不使用時には２つ折りにして収納でき、使用時には見開きで液晶デイスプレイ３３Ａ、３３Ｂ、３３Ｃ、３３Ｄをユーザが確認できるようになされている、と記載されているが、卒業記念アルバム等の映像記念アルバムの記録媒体についての具体的な技術が開示されていない。（特許文献２、第４頁、左欄１２〜１８行目、及び図２参照）。
【００１０】
また、特許文献３に記載の発明によれば、コンピュータ本体部が表示部にアルバム画面とポジフィルム画面と動画画面とを同時に開いて、撮像器が撮影した被写体の映像信号を動画画面に表示した後に静止画と動画像とを一緒に取り込んで、この静止画をポジフィルム画面に表示した後に、操作器が指示するアルバムのコマにこれらの画像を瞬時に移動するようにしたことにより、単に操作器の操作だけで簡単に、かつ瞬時にファイリングできるという効果が得られる、と記載されているが、卒業記念アルバム等の映像記念アルバムの記録媒体についての具体的な技術が開示されていない。（特許文献３、第６頁、右欄２５〜３３行目参照）。
【００１１】
そこで、本発明の記録媒体に記録された動画アルバム、動画アルバム作成装置、動画アルバム作成方法、動画アルバム作成プログラム、及び動画アルバム作成プログラムを記録した記録媒体においては、卒業記念アルバム等の映像記念アルバムの記録媒体を低廉な価格で実現することを課題とするものである。
【００１２】
なお、当該映像記念アルバムには、卒業記念アルバムは勿論のこと、創立記念アルバム、創部記念アルバム、団体創立記念アルバム、各種行事記念アルバムなどの学校、団体等の活動を記録した映像記念アルバムをＣＤ−ＲＯＭ，ＣＤ−Ｒ等の記録媒体で提供することを課題とするものである。また、同時に、動画アルバム作成装置、動画アルバム作成方法、動画アルバム作成プログラム、及び動画アルバム作成プログラムを記録した記録媒体を提供することを課題とするものである。
【００１３】
【課題を解決するための手段】
上記課題を達成するために、本発明の記録媒体に記録された動画アルバム、動画アルバム作成装置、動画アルバム作成方法、動画アルバム作成プログラム、及び動画アルバム作成プログラムを記録した記録媒体においては、下記のような手段を取った。
【００１４】
請求項１記載の本発明は、タイトル画面入力手段によって作成されたタイトル画面と、選択画面入力手段によって作成され、かつ画面に表示されたセレクトメニューとして選択画面Ａ，選択画面Ｂ，及び選択画面Ｃからなる表示をした選択画面と、選択画面Ａ入力手段、選択画面Ｂ入力手段、及び選択画面Ｃ入力手段のそれぞれの入力手段によって作成された選択画面Ａ、選択画面Ｂ、及び選択画面Ｃと、前記各画面には音声入力手段により入力された音声と、から構成された記録媒体に記録された動画アルバムであって、
該選択画面Ａでは、動画又は静止画入力手段によって作成された複数個の動画又は静止画Ａ，動画又は静止画Ｂ，動画又は静止画Ｃ，・・・動画又は静止画Ｎと、から構成され、該選択画面Ｂでは、スライド入力手段によって作成された複数個のスライドＡ，スライドＢ、スライドＣ、・・・スライドＮと、から構成され、該選択画面Ｃでは、ＨＴＭＬ入力手段によって作成され、かつ画面に表示されたグループセレクトメニューとして複数個のリスト画面Ａ、リスト画面Ｂ、リスト画面Ｃ、・・・リスト画面Ｎからなる表示をしたＨＴＭＬ画面と、リスト画面入力手段によって作成され、かつ前記各リスト画面に表示されたセレクトメニューとして複数個の動画Ａ、動画Ｂ、動画Ｃ、・・・動画Ｎからなる各リスト画面と、から構成された、ことを特徴とする記録媒体に記録された動画アルバムである。
【００１５】
これは、記録媒体に記録された動画アルバムを簡便に提供することができるようになったので、動画アルバム製作のコスト削減を図ることができるようになった。
【００１６】
請求項２記載の本発明は、タイトル画面を作成するタイトル画面入力手段と、画面に表示されたセレクトメニューとして選択画面Ａ，選択画面Ｂ，及び選択画面Ｃからなる表示をした選択画面を作成する選択画面入力手段と、該選択画面Ａ、選択画面Ｂ、及び選択画面Ｃのいずれかを選択するセレクトメニュー選択手段と、該選択画面Ａ、選択画面Ｂ、及び選択画面Ｃを作成するそれぞれの入力手段として選択画面Ａ入力手段、選択画面Ｂ入力手段、及び選択画面Ｃ入力手段と、前記各画面には音声を入力する音声入力手段と、から構成された動画アルバム作成装置であって、
該選択画面Ａでは、複数個の動画又は静止画Ａ，動画又は静止画Ｂ，動画又は静止画Ｃ，・・・動画又は静止画Ｎを作成する動画又は静止画入力手段と、から構成され、該選択画面Ｂでは、複数個のスライドＡ，スライドＢ、スライドＣ、・・・スライドＮを作成するスライド入力手段と、から構成され、該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、から構成された、ことを特徴とする動画アルバム作成装置である。
【００１７】
これは、動画アルバム作成装置を簡単なコンピュータシステムで実現できるようになったので、コスト削減を図ることができるようになった。
【００１８】
請求項３記載の本発明では、コンピュータを用いて、タイトル画面入力手段がタイトル画面を作成するタイトル画面入力ステップと、選択画面入力手段が画面に表示されたセレクトメニューとして選択画面Ａ，選択画面Ｂ，及び選択画面Ｃからなる表示をした選択画面を作成する選択画面入力ステップと、選択画面Ａ入力手段、選択画面Ｂ入力手段、及び選択画面Ｃ入力手段が選択画面Ａ、選択画面Ｂ、及び選択画面Ｃを作成するそれぞれの選択画面Ａ入力ステップ、選択画面Ｂ入力ステップ、及び選択画面Ｃ入力ステップと、
動画又は静止画入力手段が該選択画面Ａで、複数個の動画又は静止画Ａ，動画又は静止画Ｂ，動画又は静止画Ｃ，・・・動画又は静止画Ｎを作成する動画又は静止画入力ステップと、スライド入力手段が該選択画面Ｂで、複数個のスライドＡ，スライドＢ、スライドＣ、・・・スライドＮを作成するスライド入力ステップと、ＨＴＭＬ入力手段が該選択画面Ｃで、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力ステップと、リスト画面入力手段が前記各リスト画面に表示されたセレクトメニューとして複数個の動画Ａ、動画Ｂ、動画Ｃ、・・・動画Ｎからなる各リスト画面を作成するリスト画面入力ステップと、音声入力手段が前記各画面には音声を入力する音声入力ステップと、を実行する動画アルバム作成方法である。
【００１９】
これは、動画アルバム作成方法を簡便な方法で作成することができるようになったので、コスト削減を図ることができるようになった。
【００２０】
請求項４記載の本発明では、コンピュータを、タイトル画面を作成するタイトル画面入力手段と、画面に表示されたセレクトメニューとして選択画面Ａ，選択画面Ｂ，及び選択画面Ｃからなる表示をした選択画面を作成する選択画面入力手段と、該選択画面Ａ、選択画面Ｂ、及び選択画面Ｃのいずれかを選択するセレクトメニュー選択手段と、該選択画面Ａ、選択画面Ｂ、及び選択画面Ｃを作成するそれぞれの入力手段として選択画面Ａ入力手段、選択画面Ｂ入力手段、及び選択画面Ｃ入力手段と、前記各画面には音声を入力する音声入力手段と、
該選択画面Ａでは、複数個の動画又は静止画Ａ，動画又は静止画Ｂ，動画又は静止画Ｃ，・・・動画又は静止画Ｎを作成する動画又は静止画入力手段と、該選択画面Ｂでは、複数個のスライドＡ，スライドＢ、スライドＣ、・・・スライドＮを作成するスライド入力手段と、該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、から構成された、前記各処理手段を実行する動画アルバム作成装置として機能させるための動画アルバム作成プログラムである。
【００２１】
これは、動画アルバム作成装置として機能させるための動画アルバム作成プログラムを簡便なプログラムで作成できるようになったので、コスト削減を図ることができるようになった。
【００２２】
請求項５記載の本発明では、コンピュータを、タイトル画面を作成するタイトル画面入力手段と、画面に表示されたセレクトメニューとして選択画面Ａ，選択画面Ｂ，及び選択画面Ｃからなる表示をした選択画面を作成する選択画面入力手段と、該選択画面Ａ、選択画面Ｂ、及び選択画面Ｃのいずれかを選択するセレクトメニュー選択手段と、該選択画面Ａ、選択画面Ｂ、及び選択画面Ｃを作成するそれぞれの入力手段として選択画面Ａ入力手段、選択画面Ｂ入力手段、及び選択画面Ｃ入力手段と、
該選択画面Ａでは、複数個の動画又は静止画Ａ，動画又は静止画Ｂ，動画又は静止画Ｃ，・・・動画又は静止画Ｎを作成する動画又は静止画入力手段と、該選択画面Ｂでは、複数個のスライドＡ，スライドＢ、スライドＣ、・・・スライドＮを作成するスライド入力手段と、該選択画面Ｃでは、画面に表示されたグループセレクトメニューとして複数個のリスト画面Ａ、リスト画面Ｂ、リスト画面Ｃ、・・・リスト画面Ｎからなる表示をしたＨＴＭＬ画面を作成するＨＴＭＬ入力手段と、前記各リスト画面に表示されたセレクトメニューとして複数個の動画Ａ、動画Ｂ、動画Ｃ、・・・動画Ｎからなる各リスト画面を作成するリスト画面入力手段と、前記各画面には音声を入力する音声入力手段と、から構成された、前記各処理手段を実行する動画アルバム作成装置として機能させるための動画アルバム作成プログラムを記録した記録媒体である。
【００２３】
これは、動画アルバム作成装置として機能させるための動画アルバム作成プログラムを記録した記録媒体を簡便に製作することができるようになったので、コスト削減を図ることができるようになった。
【００２４】
請求項６記載の本発明では、タイトル画面入力手段によって作成されたタイトル画面と、選択画面入力手段によって作成され、かつ画面に表示されたメニューとして４個以上の複数個の選択画面Ａ，選択画面Ｂ，選択画面Ｃ、選択画面Ｄ，・・・選択画面Ｎからなる表示をした選択画面と、４個以上の複数個の選択画面Ａ入力手段、選択画面Ｂ入力手段、選択画面Ｃ入力手段、選択画面Ｄ入力手段，・・・選択画面Ｎ入力手段のそれぞれの入力手段によって作成された選択画面Ａ、選択画面Ｂ、及選択画面Ｃ、選択画面Ｄ，・・・選択画面Ｎと、前記各画面には音声入力手段により入力された音声と、から構成された記録媒体に記録された動画アルバムであって、
該選択画面Ａでは、動画又は静止画入力手段によって作成された複数個の動画又は静止画Ａ，動画又は静止画Ｂ，動画又は静止画Ｃ，・・・動画又は静止画Ｎと、から構成され、該選択画面Ｂでは、スライド入力手段によって作成された複数個のスライドＡ，スライドＢ、スライドＣ、・・・スライドＮと、から構成され、該選択画面Ｃでは、ＨＴＭＬ入力手段によって作成され、かつ画面に表示されたグループセレクトメニューとして複数個のリスト画面Ａ、リスト画面Ｂ、リスト画面Ｃ、・・・リスト画面Ｎからなる表示をしたＨＴＭＬ画面と、リスト画面入力手段によって作成され、かつ前記各リスト画面に表示されたセレクトメニューとして複数個の動画Ａ、動画Ｂ、動画Ｃ、・・・動画Ｎからなる各リスト画面と、から構成され、該選択画面Ｄ，・・・選択画面Ｎでは、前記選択画面Ａ，選択画面Ｂ，及び選択画面Ｃのいずれかの画面構成となる画面と、から構成された、ことを特徴とする記録媒体に記録された動画アルバムである。
【００２５】
これは、記録媒体に記録された動画アルバムを簡便に提供することができるようになったので、動画アルバム製作のコスト削減を図ることができるようになった。また、請求項１と対比すると、４個以上の複数個の選択画面Ａ，選択画面Ｂ，選択画面Ｃ、選択画面Ｄ，・・・選択画面Ｎからなる表示をした選択画面としたことにより、選択画面が増え、より一層の動画アルバムの内容を豊富なものとすることができるようになった。
【００２６】
【発明の実施の形態】
以下に、本発明の実施の形態を図面にもとづいて説明する。図１は、本発明による動画アルバムの一実施例の簡便なフローチャートである。図２は、本発明による動画アルバムの全体構成を説明する表である。図３は、本発明による動画アルバムに使用する写真をリストアップするときに使用する使用写真リストの一実施例である。図４は、本発明による動画アルバムのステージＢ（図２に示す。）で使用する写真をリストアップするときに使用する使用写真リストの一実施例である。図５は、本発明による動画アルバムのタイトル一覧の一実施例である。
【００２７】
次に、図６は、本発明による動画アルバム作成装置の一実施例の構成図を示す。図７は、本発明の動画アルバム作成に掛かる学校・団体等のサーバシステムと、学校・団体等の構成員とのネットワークを説明する概念図である。図８は、動画入力装置の一実施例を示す斜視図である。図９は、動画アルバム作成装置の本体の制御処理機能の要部を説明する機能ブロック線図である。
【００２８】
次に、図１０は、本発明の動画アルバム作成に関する基本のフローチャートである。図１１は、図１０の基本のフローチャートの一部を説明するもので、選択画面Ａ（図２ではステージＡに相当する。）を説明するためのフローチャートである。図１２は、図１０の基本のフローチャートの一部を説明するもので、選択画面Ｂ（図２ではステージＢに相当する。）を説明するためのフローチャートである。図１３は、図１０の基本のフローチャートの一部を説明するもので、選択画面Ｃ（図２ではステージＣに相当する。）を説明するためのフローチャートである。
【００２９】
図１は、本発明による動画アルバムの一実施例の簡便なフローチャートである。本実施例は、学校（保育園、幼稚園、小学校、中学校、高校、大学、専門学校等を指すものとする）の卒業アルバムであるが、学校の卒業アルバムに限定されるものではない。本発明が意図しているすべての動画アルバムに適用できるものである。また、図２は、本発明による動画アルバムの全体構成を説明する表である。ここで、図１及び図２を使用して、本発明の動画アルバムの一実施例について説明する。
【００３０】
本発明による動画アルバムは、「タイトル」（図１）の表示画面で、「オープニング背景」（図２）が映し出されると共に、音声（校歌、応援歌等）が流れる。当該「オープニング背景」には、学校の風景が良く使われる。なお、説明の都合上、（図１）及び（図２）は、参照すべき図面の番号を付記したもので、（図１）及び（図２）の前方の用語「○○○」の理解を助けるものである。また、「タイトル」画面には「スキップ」のボタンが表示される。当該「スキップ」をクリックすると、次の「選択画面」（図１）が表示され、当該選択画面の中に「セレクトメニュー」（図１）の３種類の選択が表示される。そして、当該セレクトメニューのいずれかをクリックして次の「選択画面」（図１）へ移動する。
【００３１】
すなわち、タイトル画面入力手段により、図１のタイトル（図２のオープニング）が表示され、音声手段により、音声が流れる。音声は、各ステップに渡って流れている。また、音声手段は各ステップによって、異なる音声を流しているが、連続したステップでは、同一の音声を流していることもある。例えば、同じ校歌、応援歌を流す場合等である。次に、タイトル（タイトル画面ともいう。）にスキップ（図１）ボタンがある。スキップボタンをクリックすると、スキップ手段により、次のループ処理（図１）を飛ばして、図１の選択画面（図２のメインメニュー）へ移動する。スキップしないときは、ループ処理手段によりループ処理（図１）を行う。ループ処理とは、タイトル画面の映像及び音声を繰り返すことである。そして、ループ処理が一定時間経過すると、選択画面入力手段により、選択画面（図１）へ移動する。そして、当該選択画面においてもループ処理は継続している。しかし、当該選択画面の中に次のセレクトメニュー（図１）として、シーン１選択画面（図２のステージＡ）、シーン２選択画面（図２のステージＢ）、シーン３選択画面（図２のステージＣ）、及び終了（図１）の表示がある。
【００３２】
次に、当該セレクトメニューでシーン１選択画面（図１）を選択した場合について説明する。セレクトメニュー選択手段にて、シーン１選択画面を選択すると、当該選択画面の中に「動画選択」（図１）の判断があり、「動画Ａ」，「動画Ｂ」、「動画Ｃ」、・・・「動画Ｎ」のいずれかが選択される。すなわち、動画選択手段により、いずれかの動画を選択する。図１では、「動画選択」であるが、「静止画選択」でも良い。例えば、動画Ａを選択し、当該動画Ａを終了すると、動画選択手段により、次の動画Ｂを選択する。更に、動画Ｂを終了すると、次の動画の選択及び終了を繰り返す。そして、動画の選択を終了するときは、動画選択手段により、リターンを選択すると、前の選択画面へ移動する。尚、前記の「動画Ａ」，「動画Ｂ」、「動画Ｃ」、・・・「動画Ｎ」の表記は、動画の数量がＡ〜Ｎ迄の１４個を意味するものでは無く、動画の数量を限定しないという意味の表記である。尚、本明細書では、・・・動画又は静止画Ｎ，・・・スライドＮ、・・・リスト画面Ｎ，・・・動画Ｎ、・・・選択画面Ｎ、等の・・・○○○Ｎ、等の表記があるが、いずれも数量がＡ〜Ｎ迄の１４個を意味するものでは無く、数量を限定しないという意味の表記である。また、特許請求の範囲についても同様である。
【００３３】
図１のシーン１選択画面は、図２のステージＡ（キャンパス）に対応するものである。図２の「ピンポイント１〜６」は、図１の「動画Ａ〜Ｎ」に対応するものである。そして、図２の「ピンポイント１選択用」の内容は「ピンポイント写真１〜」によって具体的に示される。「ピンポイント２選択用」以下についても、同様である。
【００３４】
次に、前記セレクトメニューでシーン２選択画面（図１）を選択した場合について説明する。セレクトメニュー選択手段にて、シーン２選択画面を選択すると、当該選択画面の中に「スライド選択」（図１）の判断があり、「スライドＡ」，「スライドＢ」、「スライドＣ」、・・・「スライドＮ」のいずれかが選択される。すなわち、スライド選択手段により、いずれかのスライドを選択する。例えば、スライドＡを選択し、当該スライドＡを終了すると、スライド選択手段により、次のスライドＢを選択する。更に、スライドＢを終了すると、次のスライドの選択及び終了を繰り返す。そして、スライドの選択を終了するときは、スライド選択手段により、リターンを選択すると、前の選択画面へ移動する。
【００３５】
図１のシーン２選択画面は、図２のステージＢ（行事）に対応するものである。図２の「イベント１〜６」は、図１の「スライドＡ〜Ｎ」に対応するものである。そして、図２の「イベント１選択ボタン」の内容は「イベント１写真１〜１５」によって具体的に示される。「イベント２選択ボタン」以下についても、同様である。
【００３６】
次に、前記セレクトメニューでシーン３選択画面を選択した場合について説明する。セレクトメニュー選択手段にて、シーン３選択画面を選択すると、当該選択画面の中に「グループセレクトメニュー」（図１）の判断があり、「リスト画面Ａ」，「リスト画面Ｂ」、「リスト画面Ｃ」、・・・「リスト画面Ｎ」のいずれかが選択される。すなわち、グループセレクトメニュー選択手段により、いずれかのリスト画面を選択する。例えば、リスト画面Ａを選択し、当該リスト画面Ａを終了すると、グループセレクトメニュー選択手段により、次のリスト画面Ｂを選択する。更に、リスト画面Ｂを終了すると、次のリスト画面の選択及び終了を繰り返す。そして、リスト画面の選択を終了するときは、グループセレクトメニュー選択手段により、リターンを選択すると、前の選択画面へ移動する。尚、当該シーン３選択画面を選択した場合は、画面表示がＨＴＭＬの画面となるが、詳細については、図１３で説明する。また、ＨＴＭＬとは、Ｈｙｐｅｒ  Ｔｅｘｔ  Ｍａｒｋｕｐ  Ｌａｎｇｕａｇｅ  の略で、ウエブページを記述する書式のことである。そして、ＨＴＭＬという書式で記述された文書ファイルをインターネットプラウザソフトで読むことでウエブページとして閲覧することができる。また、本明細書及び特許請求の範囲で、ＨＴＭＬ画面、ＨＴＭＬ入力手段等の表記があるが、これらの表記は、ＨＴＭＬの書式で記述された画面、ＨＴＭＬの書式で記述された画面を入力する手段等を表している。
【００３７】
そして、リスト画面Ａを選択すると、当該リスト画面の中に「セレクトメニュー１」（図１）の判断により、動画Ａ、動画Ｂ、動画Ｃ、・・・動画Ｎのいずれかが選択される。すなわち、セレクトメニュー１選択手段により、いずれかの動画を選択する。例えば、動画Ａを選択し、当該動画Ａを終了すると、セレクトメニュー１選択手段により、次の動画Ｂを選択する。更に、動画Ｂを終了すると、次の動画の選択及び終了を繰り返す。そして、動画の選択を終了するときは、セレクトメニュー１選択手段により、「ＨＴＭＬを閉じる」（図１３にて、詳細を説明する。）を選択すると、前の選択画面へ移動する。
【００３８】
そして、シーン３「選択画面」（図１）は、ステージＣ（動画・メッセージ）（図２）に対応するものである。リスト画面Ａ（図１）は、動画グループ０（図２）に対応するものである。また、リスト画面Ｂ、Ｃ、・・・Ｎは、動画グループ１，２、・・・に対応するものである。なお、シーン３「選択画面」（図１）は、ＨＴＭＬ表示画面として、インターネットを通じて、構成員の端末に接続することもできる。
【００３９】
次に、前記セレクトメニューで終了を選択した場合について説明する。セレクトメニュー選択手段にて、終了を選択すると、「イエス」（終了）、「ノー」（リターン）のボタンが表示される。終了手段により、「イエス」をクリックすると、ストップ（図１）となり、本動画アルバムは終了する。また、終了手段により、「ノー」をクリックすると、リターンして、前の選択画面に移動する。
【００４０】
次に、図３は、本発明による動画アルバムに使用する写真をリストアップするときに使用する使用写真リストの一実施例である。「オープニング」（図１のタイトルの相当する。）、「メインメニュー」（図１の選択画面に相当する。）、「ステージＡ」（図１のシーン１選択画面に相当する。）、及び「ステージＢ」（図１のシーン２選択画面に相当する。）について、それぞれの段階における採用されるべき写真についてのリストアップをするための使用写真リストである。また、当該使用写真は、静止画及び動画を含むものである。使用写真リストの右欄に素材区分がある。当該素材区分は、使用写真をどの素材から選択するかを「写真内容」欄にリストアップするものである。「Ｐ」はプリントした写真、「Ｄ」はデータ（記録媒体に記録された静止画・動画、ビデオテープ、など）から取り込む写真、「Ｂ」は書籍からの写真、である。
【００４１】
次に、図４は、本発明による動画アルバムのステージＢ（図２）で使用する写真をリストアップするときに使用する使用写真リストの一実施例である。ステージＢで使用する写真を、図３で説明したように、「Ｐ」、「Ｄ」、「Ｂ」で選択して使用する。詳細は、図３と同様のため省略する。
【００４２】
次に、図５は、本発明による動画アルバムのタイトル一覧の一実施例である。本発明の動画アルバムのタイトル等を決定するための帳票の一実施例であり、「アルバム名」、「メインタイトル」、「ステージＡ」（図２），「ステージＢ」（図２）、「ステージＣ」（図３）を決定するものである。
【００４３】
また、図３〜図５は、動画アルバム作成に当り、動画アルバムの製作を依頼する側（依頼者側、所謂ユーザーと呼ばれている側）と、動画アルバムを製作する側（製作者側、所謂メーカーと呼ばれている側）との関係で見ると、依頼者側の要望を聞くときの製作者側のマニュアル・帳票であり、依頼者側にとっては、依頼事項の確認書、若しくは依頼者側と製作者側との間で取り交わされる仕様書となるものである。
【００４４】
次に、図６は、本発明による動画アルバム作成装置の一実施例の構成図を示す。この動画アルバム作成装置１００は、バスＢで相互に接続されている入力装置１１０と、表示装置１２０と、ドライブ装置１３０と、記録媒体１４０と、補助記憶装置１５０と、メモリ装置１６０と、本体１７０と、動画入力装置１８０と、インターフェース装置１９０と、出力装置２００と、から構成されている。
【００４５】
また、該入力装置１１０は、該動画アルバム作成装置１００の利用者が操作するキーボード、マウス等で構成され、動画アルバム作成装置１００に各種信号を入力するために用いられる。また、該表示装置１２０は、動画アルバム作成装置１００を操作するのに必要な各種ウインドウやデータを表示する。
【００４６】
また、該本体１７０は、演算処理装置、制御処理装置とから構成されているＣＰＵ（Ｃｅｎｔｒａｌ  Ｐｒｏｃｅｓｓｉｎｇ  Ｕｎｉｔ、中央処理装置）と呼ばれているものであり、該本体１７０の演算処理装置は、メモリ装置１６０に読み出され格納された動画アルバム作成に関するプログラムに従って、動画アルバム作成に係る処理を実行する。また、メモリ装置１６０は、主記憶装置と呼ばれているものである。
【００４７】
また、該補助記憶装置１５０は、インストールされた動画アルバム作成に関する動画アルバム作成プログラムを格納すると共に、必要なファイル、データ等を格納する。そして、メモリ装置１６０は、コンピュータシステムの起動時に補助記憶装置１５０から動画アルバム作成プログラムを読み出し、格納する。
【００４８】
また、該動画入力装置１８０は、同一出願人による特願２００２−０５６６５８による動画入力装置である。該動画入力装置１８０は、動画取込用カメラ、音声取込用マイク、及び連結部材を備えたものであり、該連結部材は、動画入力時に情報提供者の視線位置に該動画取込用カメラを移動自在に位置させることができるものである。このように、動画アルバム作成に当り、コストを削減する簡単な動画アルバム作成装置を提供することができる。尚、動画入力装置１８０の詳細は、図８にて説明する。
【００４９】
また、動画アルバム作成に関する動画アルバム作成プログラムは、記録媒体（例えば、ＭＯ，ＣＤ−ＲＯＭ，ＣＤ−Ｒ等）で提供される。該動画アルバム作成に関するプログラムを記録した記録媒体１４０は、ドライブ装置１３０にセットされ、該動画アルバム作成に関するプログラムが記録媒体１４０からドライブ装置１３０を介して補助記憶装置１５０にインストールされる。
【００５０】
また、当該動画アルバム作成に関するプログラムには、動画アルバムを構成するために予め設定された複数種類の項目、すなわち図１及び図２に示す「タイトル」、「選択画面」、「オープニング」、「メインメニュー」、「ステージＡ」、「ステージＣ」と、各タイトルの項目である「ピンポイント１、２、・・・」等が含まれている。
【００５１】
また、該インターフェース装置１９０は、動画アルバム作成装置１００をネットワーク１０に接続するためのインターフェースであり、例えばモデム等である。そして、該ネットワーク１０を介して、学校、団体の構成員の端末に接続されている。また、インターネット１０に接続する必要のない利用者若しくは学校、団体等の構成員でもＨＴＭＬ利用者としての認証を受けていない利用者は、インターフェース装置１９０を不要とする場合もある。
【００５２】
すなわち、以上の説明のように、当然のことながら、本発明の動画アルバム作成装置１００は、所謂コンピュータシステムの機能を備えた装置である。
【００５３】
本発明の動画アルバム作成装置は、高価な機材、例えば、芸能人、歌手等のプロのプロモーションビデオ等に使用する高価な機材を使用するものでもなく、また、プロのスタッフを使用するものでも無い。すなわち、簡単な動画入力装置等にみられるように、簡単な機材を導入することにより、安価なパソコンシステムでシステムを構築するものである。
【００５４】
次に、図７は、本発明の動画アルバムに掛かる学校・団体等のサーバシステムと、学校・団体等の構成員とのネットワークを説明する概念図である。当該学校・団体等のサーバシステム１１（以下、サーバシステム１１と略称する。）は、ネットワーク１０を介して学校・団体等の構成員の端末１２、１２、・・・（以下、構成員の端末１２、１２、・・・と略称する。）に接続されている。
【００５５】
また、サーバシステム１１には、本発明の動画アルバム作成装置により作成された記録媒体に記録された動画アルバムがデータベースとして格納されている。そして、構成員の端末１２、１２、・・・の具備する認証要求手段は、サーバシステム１１の具備する認証手段により認証を受けることができ、認証を受けることによりデータベースにアクセスすることができるようになっている。なお、構成員の情報は、情報公開を了解した構成員の情報のみインターネット１０を通じて見ることができる。また、構成員の最近の情報を構成員の端末１２、１２、・・・の入力手段によりサーバシステム１１のデータベースに入力することもできるようになっている。このように、当該データベースに登録された動画アルバムは、最新の情報が入力されている。従って、卒業後の構成員の最新状況がわかり、構成員相互の親睦等を図ることができる。
【００５６】
次に、図８は、動画入力装置の一実施例を示す斜視図である。動画入力装置１８０は、動画取込用カメラ１８１、音声取込用マイク１８２、連結部材１８３より構成されている。該連結部材１８３は、該動画取込用カメラ１８１及び音声取込用マイク１８２を固定している棒状部材１８３ａと、固定部材１８３ｂとから構成されている。
【００５７】
該固定部材１８３ｂは、表示装置１２０のディスプレイ面の上面に固定されており、そして、該棒状部材１８３ａを上下方向に移動可能にしている。例えば、棒状部材１８３ａを丸棒とし、固定部材１８３ｂに中空部を設ける。そして、該中空部に棒状部材１８３ａを挿通すると、該固定部材１８３ｂは該棒状部材１８３ａを保持しながら上下方向に移動させることができる。また、動画取込用カメラ１８１及び音声取込用マイク１８２は一体となって台座に組み込まれており、当該台座は棒状部材１８３ａの先端部にユニバーサルジョイント機能を有して固定されているので、当該動画取込用カメラ１８１はローリングして被写体（実施例では、先生、生徒など）の視線位置へ合わせるようにその配置を適切に行えるようになっている。
【００５８】
また、動画入力装置１８０は、デジタルビデオカメラの動画取込用カメラ１８１により撮像された画像データを補助記憶装置１５０内に取り込むこととなる。そして、動画アルバム作成に際しては、当該画像データを処理することによって、動画アルバムを作成することになる。
【００５９】
次に、図９は、上記動画アルバム作成装置１００の本体１７０の制御処理機能の要部を説明する機能ブロック線図である。入力装置は、タイトル画面入力手段、選択画面入力手段、セレクトメニュー選択手段、音声入力手段、動画又は静止画入力手段、スライド入力手段、ＨＴＭＬ入力手段、リスト画面入力手段を受けて、当該各処理手段を本体にて演算処理、制御処理されて、そして、表示手段を受けて表示装置に表示し、及び出力手段を受けて出力装置に出力する。なお、上記は、要部の制御処理機能を説明したものであり、附属した制御処理機能については、煩雑となるため説明を省略した。
【００６０】
次に、本発明の動画アルバム作成に関する流れを説明する。図１０は、本発明の動画アルバム作成に関する基本のフローチャートの一実施例である。そして、図１１は、図１０の基本のフローチャートの一部を説明するもので、ステージＡを説明するためのフローチャートである。また、図１２は、図１０の基本のフローチャートの一部を説明するもので、ステージＢを説明するためのフローチャートである。また、図１３は、図１０の基本のフローチャートの一部を説明するもので、ステージＣを説明するためのフローチャートである。
【００６１】
図１及び図２において、簡便なフローチャートに基づいて本発明の一実施例を説明したが、以下の図１０〜図１３では、その詳細を基本のフローチャートに基づいて本発明の一実施例について、説明する。すなわち、本発明の記録媒体に記録された動画アルバム、動画アルバム作成装置、動画アルバム作成方法、動画アルバム作成プログラム、及び動画アルバム作成プログラムを記録した記録媒体についての本発明の一実施例について、説明する。尚、本実施例も図１及び図２と同様に、学校の卒業アルバムである。
【００６２】
まず、図１０の動画アルバム作成に関する基本のフローチャートの一実施例を説明する。図１０において、ステップＳ１０１（以下、ステップを省略する。）では、タイトル画面の作成である。当該Ｓ１０１タイトル画面は、タイトル（図１）及びオープニング場面（図２）に相当する画面の作成である。すなわち、タイトル画面入力手段によりＳ１０１タイトル画面を作成する。また、Ｓ１０１タイトル画面は、例えば、学校の風景（静止画又は動画）等の映像、「２００３年３月１５日卒業」、「○○学校第○○期生」、「みんなの夢」、「○○○卒業記念」等のタイトル、及び「おもいでの記事（例えば、ニュース等）」等である。
【００６３】
また、同時に音声入力手段により音声を入力するものである。当該音声入力手段は、各ステップ毎に入力されるものであるが、数ステップの範囲内で、同じ音声が入力されたり、繰り返しされたりするものである。例えば、Ｓ１０１〜Ｓ１０５の範囲内では、音声入力手段は、校歌等の繰り返しを入力している。尚、音声入力手段の音声は、校歌、応援歌、合唱音、オーケストラ音、メッセージ、自然音、歓声、等の音である。各ステップの状況により、各ステップの音声手段により、選択された音声が入力される。
【００６４】
そして、Ｓ１０１タイトル画面には、Ｓ１０２スキップ？のスキップするかどうかの判断をする「スキップ」ボタンがある。スキップ手段により、Ｓ１０１タイトル画面からＳ１０４選択画面へスキップするかどうかの判断をする。スキップするときは、「スキップ」ボタンをクリックする。スキップしないときは、一定時間経過後、Ｓ１０３のループ処理となる。ループ処理手段によりＳ１０３ループ処理をする。当該Ｓ１０３ループ処理は、前記Ｓ１０１のタイトル画面の映像等及び音声の繰り返し処理をする。また、当該Ｓ１０３ループ処理をしながら、次のＳ１０４選択画面へ移動する。また、当該ループ処理は、Ｓ１０４でも継続する。
【００６５】
次に、Ｓ１０４選択画面を説明する。当該Ｓ１０４選択画面は、選択画面入力手段により作成する。そして、Ｓ１０４選択画面の中に、Ｓ１０５セレクトメニューがある。当該セレクトメニューには、Ｓ１０６選択画面Ａ，Ｓ１０８選択画面Ｂ、Ｓ１１０選択画面Ｃがある。セレクトメニュー選択手段により、Ｓ１０６選択画面Ａ，Ｓ１０８選択画面Ｂ、Ｓ１１０選択画面Ｃのいずれかを選択するか、又はＳ１１１終了を選択するかの判断をする。付言すると、当該Ｓ１０４選択画面には、例えば、学校の静止画若しくは動画（図２のメインメニューにあるメインメニュー背景に相当する。）を背景に、セレクトメニューとして、選択画面Ａ（図１のシーン１、及び図２のステージＡに相当する。）、選択画面Ｂ（図１のシーン２、及び図２のステージＢに相当する。）、選択画面Ｃ（図１のシーン３、及び図２のステージＣに相当する。）、及び「終了」（図１の［終了？］に相当する。）ボタンがある。
【００６６】
次に、Ｓ１０６は、選択画面Ａを選択したときである。前記セレクトメニュー選択手段により、Ｓ１０６選択画面Ａが選択されると、選択画面Ａ入力手段により選択画面Ａが作成される。そして、Ｓ１０６選択画面Ａの中に、Ｓ１０７動画又は静止画選択の判断がある。動画又は静止画選択手段により、複数個の動画又は静止画の中からいずれかを選択するか（詳細は、図１１にて説明する。）、又はリターンを選択するかの判断がある。もし、動画又は静止画選択手段により、リターンを選択すると、Ｓ１０４選択画面へ戻る。また、動画又は静止画選択手段により、複数個の動画又は静止画の中からいずれかを選択したときは、結合子Ａ（結合子Ａとは、○印の中に文字Ａで表記されている。以下、同じ。）となり、図１１に記載する。以降の詳細は、図１１で説明する。
【００６７】
次に、Ｓ１０８は、選択画面Ｂを選択したときである。前記セレクトメニュー選択手段により、Ｓ１０８選択画面Ｂが選択されると、選択画面Ｂ入力手段により選択画面Ｂが作成される。そして、Ｓ１０８選択画面Ｂの中に、Ｓ１０９スライド選択の判断がある。スライド選択手段により、複数個のスライドの中からいずれかを選択するか（詳細は、図１２にて説明する。）、又はリターンを選択するかの判断がある。もし、スライド選択手段により、リターンを選択すると、Ｓ１０４選択画面へ戻る。また、スライド選択手段により、複数個のスライドの中からいずれかを選択したときは、結合子Ｂとなり、図１２に記載する。以降の詳細は、図１２で説明する。
【００６８】
次に、Ｓ１１０は、選択画面Ｃを選択したときである。前記セレクトメニュー選択手段により、Ｓ１１０選択画面Ｃが選択されると、選択画面Ｃ入力手段により選択画面Ｃが作成される。そして、当該Ｓ１１０選択画面Ｃを選択したときは、結合子Ｃとなり、図１３に記載する。以降の詳細は、図１３で説明する。
【００６９】
次に、Ｓ１１１は、終了を選択したときである。前記セレクトメニュー選択手段により、Ｓ１１１終了が選択されると、終了画面入力手段により終了？画面が作成される。そして、Ｓ１１２終了？画面では、終了判断手段により、終了かどうかを判断する。具体的には、終了と判断するときは、終了ボタンをクリックすると、「エンド」で終了となり、若し、継続するならば、リターンをクリックしてＳ１０４選択場面へ戻る。
【００７０】
次に、図１１について説明する。図１１は、図１０の基本のフローチャートの一部を説明するもので、結合子Ａ以降を説明するためのフローチャートである。
【００７１】
前記Ｓ１０７の動画又は静止画選択手段により、結合子Ａが選択される。すなわち、Ｓ１０６選択画面Ａの中で、Ｓ１０７の動画又は静止画選択手段により、ＳＡ１０１動画又は静止画Ａ、ＳＡ１０２動画又は静止画Ｂ、ＳＡ１０３動画又は静止画Ｃ、・・・ＳＡ１０４動画又は静止画Ｎのいずれかを選択し、動画又は静止画入力手段により選択された動画又は静止画を表出させる。尚、いずれのステップＳＡ１０１、ＳＡ１０２、ＳＡ１０３、・・・ＳＡ１０４においても、各ステップの動画又は静止画は数量を限定するものでは無く、必要に応じた枚数が準備されている。これらの数枚の動画又は静止画が次々と表出されるものである。また、各ステップの動画又は静止画は、表示装置のディスプレイ面において、全画面では無く、Ｓ１０６選択画面Ａを背景として、表出される。従って、一つのステップの選択が終了すると、Ｓ１０６選択画面Ａの中の次のステップを選択すると良い。例えば、ＳＡ１０１の選択を終了すると、動画又は静止画選択手段によって、次のＳＡ１０２を選択すると良い。そして、ＳＡ１０２動画又は静止画Ｂの選択を終了すると、次のＳＡ１０３を選択すると良い。このように、順次、いずれかの動画又は静止画を選択していく。最後に、Ｓ１０６選択画面Ａで、動画又は静止画選択手段により、リターンボタンをクリックすると、リターン入力手段によりＳ１０４選択画面に移動する。
【００７２】
次に、図１２について説明する。図１２は、図１０の基本のフローチャートの一部を説明するもので、結合子Ｂ以降を説明するためのフローチャートである。
【００７３】
前記Ｓ１０９のスライド選択手段により、結合子Ｂが選択される。すなわち、Ｓ１０８選択画面Ｂの中で、Ｓ１０９のスライド選択手段により、ＳＢ１０１スライドＡ、ＳＢ１０２スライドＢ、ＳＢ１０３スライドＣ、・・・ＳＢ１０４スライドＮのいずれかを選択し、スライド入力手段により選択されたスライドを表出させる。尚、いずれのステップＳＢ１０１、ＳＢ１０２、ＳＢ１０３、・・・ＳＢ１０４においても、各ステップのスライドは数量を限定するものでは無く、必要に応じた枚数が準備されている。これらの数枚のスライドが次々と表出されるものである。また、各ステップのスライドは、表示装置のディスプレイ面において、全画面であり、当該全画面に、リターンボタンがある。よって、次のスライドへ移動するときは、リターン手段により、リターンボタンをクリックすると、結合子Ｅとなり、Ｓ１０８選択画面Ｂに戻る。例えば、ＳＢ１０８スライドＡを終了するには、リターン手段により、リターンボタンをクリックすると、結合子Ｅとなり、Ｓ１０８選択画面Ｂに戻る。そして、次のスライドを選択する場合は、Ｓ１０９のスライド選択手段によりＳＢ１０２スライドＢを選択し、スライド入力手段により選択されたＳＢ１０２スライドＢを表出させる。このように、順次、いずれかのスライドを選択していく。最後に、Ｓ１０８選択画面Ｂで、Ｓ１０９のスライド選択手段により、リターンボタンをクリックすると、リターン入力手段によりＳ１０４選択画面に戻る。
【００７４】
次に、図１３について説明する。図１３は、図１０の基本のフローチャートの一部を説明するもので、結合子Ｃ以降を説明するためのフローチャートである。
【００７５】
図１０において、Ｓ１１０選択画面Ｃを選択すると、結合子Ｃとなる。図１３において、当該結合子Ｃは、ＳＣ１０１ＨＴＭＬ画面へ移動する。すなわち、Ｓ１０５のセレクトメニュー選択手段により、Ｓ１１０選択画面Ｃを選択すると、ＨＴＭＬ入力手段により、ＳＣ１０１ＨＴＭＬ画面となる。当該ＨＴＭＬ画面の中に、ＳＣ１０２グループセレクトメニューがある。そして、当該ＳＣ１０２グループセレクトメニューとして、複数個のＳＣ１０４リスト画面Ａ、ＳＣ１０５リスト画面Ｂ、ＳＣ１０６リスト画面Ｃ、・・・ＳＣ１０７リスト画面Ｎがある。ここで、グループセレクトメニュー選択手段により、ＳＣ１０４リスト画面Ａ、ＳＣ１０５リスト画面Ｂ、ＳＣ１０６リスト画面Ｃ、・・・ＳＣ１０７リスト画面Ｎのいずれかを選択するか、又はＳＣ１０３「ＨＴＭＬを閉じる」を選択するかの判断をする。若し、いずれかのリスト画面を選択しないときは、グループセレクトメニュー選択手段により、ＳＣ１０３「ＨＴＭＬの画面を閉じる」ことになる。すなわち、ＨＴＭＬ閉手段により、ＨＴＭＬ画面を閉じる。具体的には、ＨＴＭＬの「閉じる」ボタンをクリックする。そして、ＳＣ１０４リターン画面となるので、リターンボタンをクリックすると、リターン手段により、結合子Ｈとなる。当該結合子Ｈは、図１０のＳ１０４選択画面に戻る。
【００７６】
また、リスト画面を選択するときは、いずれかのリスト画面をクリックすると、グループセレクトメニュー選択手段により、当該ＨＴＭＬ画面の中に選択されたリスト画面が表示される。例えば、ＳＣ１０５リスト画面Ａを選択したとすると、当該ＨＴＭＬ画面の中にＳＣ１０５リスト画面Ａのリストが表示される。当該ＳＣ１０５リスト画面Ａには、複数個のＳＣ１１０動画Ａ、ＳＣ１１１動画Ｂ、ＳＣ１１２動画Ｃ、・・・ＳＣ１１３動画Ｎが格納されているので、そのリストが表出されるのである。そして、ＳＣ１０５リスト画面Ａの中のいずれかの動画をクリックすると、セレクトメニュー１手段により、当該動画が表出される。
【００７７】
例えば、セレクトメニュー１選択手段により、動画Ａを選択し、動画入力手段により、選択された動画Ａを表出させる。尚、当該動画の表出は、予め定められた一定の場所（ＨＴＭＬ画面の一部）に動画の映像を表出させる。また、当該動画Ａは音声手段によりメッセージを述べる。そして、動画Ａの選択が終了すると、結合子Ｆとなる。結合子Ｆを選択すると、ＳＣ１０５リスト画面へ戻り、次の動画を選択することになる。
【００７８】
もし、動画を選択しないときは、セレクトメニュー１選択手段により、ＳＣ１０１ＨＴＭＬを閉じるとなる。具体的には、ＨＴＭＬ画面の閉じるボタンをクリックすると、セレクトメニュー１選択手段により、ＨＴＭＬ画面が閉じられる。そして、リターン画面となる。そこで、リターンをクリックすると、リターン手段により、結合子Ｈとなる。当該結合子Ｈは、Ｓ１０４選択画面へ戻る。
【００７９】
また、図１３において、実施例の卒業アルバムでは、ＳＣ１０５リスト画面Ａ（図２の動画グループ０に相当する。）は、先生のリストであり、ＳＣ１０６リスト画面Ｂ（図２の動画グループ１に相当する。）は、三年一組のリストであり、ＳＣ１０７リスト画面Ｃは、三年二組のリストである。更に、ＳＣ１１０動画Ａは、校長先生の動画とメッセージであり、ＳＣ１１１動画Ｂは、教頭先生の動画とメッセージであり、ＳＣ１１２動画Ｃは、一組の担任教官の先生の動画とメッセージである。同様に、ＳＣ１０６リスト画面Ｂの動画を選択すると、三年一組の生徒達の動画とメッセージが格納されている。
【００８０】
更に、図１０において、Ｓ１０５のセレクトメニューでは、画面に表示されたメニューとして３個のＳ１０６選択画面Ａ，Ｓ１０８選択画面Ｂ，Ｓ１１０選択画面Ｃがあるが、３個の選択画面に限定するものでは無く、４個以上の複数個のＳ１０６選択画面Ａ，Ｓ１０８選択画面Ｂ，Ｓ１１０選択画面Ｃ、選択画面Ｄ、・・・選択画面Ｎがあっても良い。このような場合には、選択画面入力手段によって作成され、かつ画面に表示されたメニューとして４個以上の複数個のＳ１０６選択画面Ａ，Ｓ１０８選択画面Ｂ，Ｓ１１０選択画面Ｃ、選択画面Ｄ，・・・選択画面Ｎからなる表示をした選択画面と、４個以上の複数個の選択画面Ａ入力手段、選択画面Ｂ入力手段、選択画面Ｃ入力手段、選択画面Ｄ入力手段，・・・選択画面Ｎ入力手段のそれぞれの入力手段によって作成されたＳ１０６選択画面Ａ，Ｓ１０８選択画面Ｂ，Ｓ１１０選択画面Ｃ、選択画面Ｄ，・・・選択画面Ｎと、すれば良い。また、該選択画面Ｄ，・・・選択画面Ｎでは、前記Ｓ１０６選択画面Ａ，Ｓ１０８選択画面Ｂ，及びＳ１１０選択画面Ｃのいずれかの選択画面と同様の構成となる選択画面と、すれば良い。このように、４個以上の複数個のＳ１０６選択画面Ａ，Ｓ１０８選択画面Ｂ，Ｓ１１０選択画面Ｃ、選択画面Ｄ，・・・選択画面Ｎとしたことにより、選択画面が増え、より一層の動画アルバムの内容を豊富なものとすることができるようになった。
【００８１】
【発明の効果】
本発明は、以上の説明から、以下に記載されるような効果を奏する。
【００８２】
本発明による記録媒体に記録された動画アルバム、動画アルバム作成装置、動画アルバム作成方法、動画アルバム作成プログラム、及び動画アルバム作成プログラムを記録した記録媒体は、卒業記念アルバム等の映像記念アルバムのＣＤ化を低廉な価格で実現することができるようになった。
【００８３】
また、本発明の動画アルバムは、卒業記念アルバムは勿論のこと、創立記念アルバム、創部記念アルバム、団体創立記念アルバム、各種行事記念アルバムなどの学校、団体等の活動の特徴を記録した映像記念アルバムをＣＤ−ＲＯＭ，ＣＤ−Ｒ等の記録媒体で提供することができるようになった。
【００８４】
また、本発明は、学校、団体等の記念アルバムを安価に提供することができるようになった。
【００８５】
また、文字・静止画・動画・音声の組み合せで再生することができるので、学校、団体等の特色を生かした独自の記念アルバムを作成することができるようになった。
【００８６】
また、校歌、団体歌、愛唱歌等の曲を画像と一緒に聴くことができるようになった。
【００８７】
また、学校の記念アルバムでは、各クラス毎の記念の動画作成、校長・担任の先生方のオリジナルなメッセージ、卒業生の各人のオリジナルなメッセージ、将来の希望等のメッセージを動画と音声で残すことができるようになった。
【００８８】
さらに、本発明の動画アルバムは、エンハンスドＣＤを使用すると、当該エンハスドＣＤにはデータトラックと音楽トラックが記録されているので、図１〜図２若しくは図１０〜図１３に説明した動画アルバム作成装置により作成された記録媒体に記録された動画アルバムは、一枚のＣＤ−ＲＯＭ、ＣＤ−Ｒ内にデータトラックと音楽トラックが記録されていることになり、パソコンのＣＤ−ＲＯＭドライブを使用するときは、自動的にプログラムが起動し、データトラックの映像部と音楽トラックの音声部とを楽しむことができる。また、音楽用ＣＤプレーヤーで再生すると音楽トラックの音声部のみを楽しむことができる。
【００８９】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【図面の簡単な説明】
【図１】図１は、本発明による動画アルバムの一実施例のフローチャートである。
【図２】図２は、本発明による動画アルバムの全体構成を説明する表である。
【図３】図３は、本発明による動画アルバムに使用する写真をリストアップするときに使用する使用写真リストの一実施例である。
【図４】図４は、本発明による動画アルバムのステージＢで使用する写真をリストアップするときに使用する使用写真リストの一実施例である。
【図５】図５は、本発明による動画アルバムのタイトル一覧の一実施例である。
【図６】図６は、本発明による動画アルバム作成装置の一実施例の構成図を示す。
【図７】図７は、本発明の動画アルバム作成に掛かる学校・団体等のサーバシステムと、学校・団体等の構成員とのネットワークを説明する概念図である。
【図８】図８は、動画入力装置の一実施例を示す斜視図である。
【図９】図９は、上記動画アルバム作成装置の本体の制御処理機能の要部を説明する機能ブロック線図である。
【図１０】図１０は、本発明の動画アルバム作成に関する基本のフローチャートである。
【図１１】図１１は、図１０の基本のフローチャートの一部を説明するもので、選択画面Ａを説明するためのフローチャートである。
【図１２】図１２は、図１０の基本のフローチャートの一部を説明するもので、選択画面Ｂを説明するためのフローチャートである。
【図１３】図１３は、図１０の基本のフローチャートの一部を説明するもので、選択画面Ｃを説明するためのフローチャートである。
【符号の説明】
１０  ネットワーク
１１  学校・団体等のサーバシステム
１２、１２、・・・  学校・団体等の構成員の端末
１００  動画アルバム作成装置
１１０  入力装置
１２０  表示装置
１３０  ドライブ装置
１４０  記録媒体
１５０  補助記憶装置
１６０  メモリ装置
１７０  本体
１８０  動画入力装置
１８１  動画取込用カメラ    １８２  音声取込用マイク
１８３  連結部材    １８３ａ  棒状部材    １８３ｂ  固定部材
１９０  インターフェース装置
２００  出力装置
Ｂ  バス
【図１】
2004356841.tif 000003
【図２】
2004356841.tif 000004
【図３】
2004356841.tif 000005
【図４】
2004356841.tif 000006
【図５】
2004356841.tif 000007
【図６】
2004356841.tif 000008
【図７】
2004356841.tif 000009
【図８】
2004356841.tif 000010
【図９】
2004356841.tif 000011
【図１０】
2004356841.tif 000012
【図１１】
2004356841.tif 000013
【図１２】
2004356841.tif 000014
【図１３】
2004356841.tif 000015